(57)【要約】【課題】印刷用紙によって用紙積載部の開閉方式が異なる給紙装置であっても、用紙に応じて操作画面から用紙積載部を開く指示を行え、操作性を向上することを可能にすること。【解決手段】画像処理装置と印刷装置とを含む印刷システムであって、印刷装置は、給紙手段と、印刷装置制御手段とを有し、画像処理装置は、操作手段と、画像処理装置制御手段とを有し、操作手段は、給紙手段に対して、印刷用紙デッキの印刷用紙収納部を開くためのロックを電気的に解除する指示を行うグラフィカル・ユーザー・インターフェースを有し、画像処理装置制御手段は、印刷用紙のサイズや種類に応じて、そのグラフィカル・ユーザー・インターフェース有効にするか無効にするかを切り替え、そのグラフィカル・ユーザー・インターフェースが選択指示された場合には、印刷装置制御手段に対して、給紙手段の印刷用紙カセットや印刷用紙デッキの印刷用紙収納部を開く制御を指示することを特徴とする。【選択図】図１
2020055668.tif 000002
【特許請求の範囲】
【請求項１】
画像処理装置と印刷装置を有する印刷システムであって、
前記印刷装置は、
用紙を収納する収納部と、
前記収納部から給送された用紙に画像を印刷する印刷部と、
前記印刷装置を制御する第１の制御手段と、を有し、
前記画像処理装置は、
前記印刷システムに係る設定及び操作を可能にし、また、前記印刷システムの状態や状況の表示を行う操作手段と、
前記画像処理装置を制御する第２の制御手段と、を有し、
前記操作手段は、前記収納部を開くためのロックを電気的に解除する指示を行うグラフィカル・ユーザー・インターフェースを有し、
前記第２の制御手段は、用紙のサイズ及び種類に応じて、前記収納部を開くためのロックを電気的に解除して該収納部に収納することができる用紙を対象にする場合には、前記操作手段に対して、前記収納部を開くためのロックを電気的に解除する指示を行うグラフィカル・ユーザー・インターフェースを有効にする旨の指示を行い、一方、前記収納部を開くためのロックを電気的に解除して前記給紙手段に収納することができない用紙を対象にする場合には、前記操作手段に対して、前記収納部を開くためのロックを電気的に解除する指示を行うグラフィカル・ユーザー・インターフェースを無効にする旨の指示を行い、前記操作手段において、前記収納部を開くためのロックを電気的に解除する指示を行うグラフィカル・ユーザー・インターフェースが選択指示された場合には、前記第１の制御手段に対して、前記給紙手段の印刷用紙カセットや印刷用紙デッキの印刷用紙収納部を開く制御を指示することを特徴とする印刷システム。
【請求項２】
前記第２の制御手段は、用紙のサイズ及び種類に応じて、前記収納部を開くためのロックを電気的に解除して前記収納部に収納することができる用紙を対象にする場合であっても、前記収納部を開くためのロックを電気的に解除して前記給紙手段に収納することができない用紙が既に前記収納部に収納されている場合には、前記操作手段に対して、印刷用紙カセットや印刷用紙デッキの印刷用紙収納部を開くためのロックを電気的に解除する指示を行うグラフィカル・ユーザー・インターフェースを無効にする旨の指示を行うことを特徴とする請求項１に記載の印刷システム。
【請求項３】
画像処理装置と印刷装置を有する印刷システムであって、
前記印刷装置は、
用紙を収納する収納部と、
前記収納部から給送された用紙に画像を印刷する印刷部と、
前記印刷装置を制御する第１の制御手段と、を有し、
前記画像処理装置は、
前記印刷システムに係る設定及び操作を可能にし、また、前記印刷システムの状態や状況の表示を行う操作手段と、
前記画像処理装置を制御する第２の制御手段と、を有し、
前記操作手段は、前記収納部を開くためのロックを電気的に解除する指示を行うグラフィカル・ユーザー・インターフェースを有し、
前記第２の制御手段は、用紙のサイズ及び種類に関わらず、前記操作手段に対して、前記収納部を開くためのロックを電気的に解除する指示を行うグラフィカル・ユーザー・インターフェースを有効にする旨の指示を行い、前記操作手段において、前記収納部を開くためのロックを電気的に解除する指示を行うグラフィカル・ユーザー・インターフェースが選択指示された場合、用紙のサイズや種類に応じて、前記収納部を開くためのロックを電気的に解除して前記収納部に収納することができる用紙を対象にする場合には、前記第２の制御手段に対して、前記収納部を開く制御を指示し、一方、前記収納部を開くためのロックを電気的に解除して前記収納部に収納することができない印刷用紙を対象にする場合には、前記操作手段に対して、前記収納部を開くためのロックを電気的に解除して前記収納部に収納することができない印刷用紙である旨、及び、前記操作手段からの指示ではなく前記収納部にて手動で開く旨を報知する指示を行うことを特徴とする印刷システム。
【請求項４】
前記第２の制御手段は、用紙のサイズ及び種類に応じて、前記収納部を開くためのロックを電気的に解除して前記収納部に収納することができる印刷用紙を対象にする場合であっても、前記収納部に、ロックを電気的に解除して前記給紙手段に収納することができない用紙が既に収納されている場合には、前記操作手段に対して、印刷用紙カセットや印刷用紙デッキの印刷用紙収納部を開くためのロックを電気的に解除する指示を行うグラフィカル・ユーザー・インターフェースを無効にする旨の指示を行うことを特徴とする請求項２に記載の印刷システム。
【発明の詳細な説明】
【技術分野】
【０００１】
本発明は、印刷システムの操作画面において給紙装置の操作を行う印刷システムに関する。
【背景技術】
【０００２】
従来から、印刷システムに含まれる印刷装置には、印刷用紙を積載し、印刷装置に印刷用紙を補給するための様々な給紙装置が存在する。このような給紙装置は、印刷用紙を積載、補給するための一つまたは複数の印刷用紙カセットや印刷用紙デッキと呼ばれる開閉可能な給紙部で構成されることが知られており（特許文献１）、印刷用紙を積載するための積載部のロックを電気的に自動で、または、機械的に手動で解除することで、積載部を開くことができる。また、このような給紙装置を有する印刷システムにおいて、積載部のロックを電気的に自動で解除することのできる給紙部を持つ給紙装置であれば、印刷システムの操作画面のＧＵＩにより積載部を開く指示を行え、印刷システムの給紙装置に対する制御により積載部のロックを電気的に自動で解除し、給紙部の積載部を印刷システムの操作部から遠隔的に開くことができることも知られている。
【０００３】
一方、このような印刷システムにおいて、積載部のロックを電気的に自動で解除することができず、機械的に手動で解除する必要のある給紙部を持つ給紙装置であれば、印刷システムの操作画面のＧＵＩにより積載部を開く指示は行えない。つまり、このような印刷システムでは、給紙装置を構成する給紙部の種類を一意に識別して操作画面のＧＵＩを制御することで、積載部を開く指示を行える給紙部の場合には積載部を開く旨のＧＵＩを選択可能にし、一方、積載部を開く指示を行えない給紙部の場合には積載部を開く旨のＧＵＩを選択不可能にする。
【先行技術文献】
【特許文献】
【０００４】
【特許文献１】特開２００７−１１２５８３号公報
【発明の概要】
【発明が解決しようとする課題】
【０００５】
ところで、給紙装置の中には、機構や構造上の制約により、積載させる印刷用紙のサイズや種類に応じて、同じ給紙部であっても開閉方式が異なり、それらが混在するものが存在する。例えば、一方は、ある印刷用紙デッキの給紙部において、所定の印刷用紙サイズまでは、洋服用のチェストのように印刷用紙デッキの積載部を給紙装置手前側に引き出して開閉して印刷用紙を積載部に補給する方式である。他方は、同一の給紙部であっても、所定の印刷用紙サイズを超える印刷用紙では、車のボンネットのように印刷用紙デッキの上部カバーを開閉して印刷用紙を積載部に補給する方式である。前者は、積載部のロックを電気的に自動で解除でき、印刷用紙デッキの積載部を給紙装置手前側に引き出して開閉可能であり、一方、後者は、積載部のロックは電気的に自動では解除できないため、機械的に手動で解除して印刷用紙デッキの上部カバーを開閉する必要がある。
【０００６】
しかしながら、先述の通り、従来の印刷システムの操作画面においては、給紙装置を構成する給紙部の種類を一意に識別して操作画面のＧＵＩを制御し、積載部を開く指示を行えるか否か、つまり、積載部を開く旨のＧＵＩを選択可能にするか否かを切り替える。しかし、同一の給紙部であっても開閉方式が異なる場合には、給紙装置を構成する給紙部の種類を一意に識別することができないため、積載部を開く指示を行えるか否か、つまり、積載部を開く旨のＧＵＩを選択可能にするか否かを切り替えることができないため、従来の技術を用いることができない。
【課題を解決するための手段】
【０００７】
上記の課題を解決するために、本発明に係る印刷システムは、
画像処理装置と印刷装置とを含む印刷システムであって、前記印刷装置は、用紙を収納する収納部と、前記収納部から給送された用紙に画像を印刷する印刷部と、前記印刷装置を制御する第１の制御手段と、を有し、前記画像処理装置は、前記印刷システムに係る設定及び操作を可能にし、また、前記印刷システムの状態や状況の表示を行う操作手段と、前記画像処理装置を制御する第２の制御手段と、を有し、前記操作手段は、前記収納部を開くためのロックを電気的に解除する指示を行うグラフィカル・ユーザー・インターフェースを有し、前記第２の制御手段は、用紙のサイズ及び種類に応じて、前記収納部を開くためのロックを電気的に解除して該収納部に収納することができる用紙を対象にする場合には、前記操作手段に対して、前記収納部を開くためのロックを電気的に解除する指示を行うグラフィカル・ユーザー・インターフェースを有効にする旨の指示を行い、一方、前記収納部を開くためのロックを電気的に解除して前記給紙手段に収納することができない用紙を対象にする場合には、前記操作手段に対して、前記収納部を開くためのロックを電気的に解除する指示を行うグラフィカル・ユーザー・インターフェースを無効にする旨の指示を行い、前記操作手段において、前記収納部を開くためのロックを電気的に解除する指示を行うグラフィカル・ユーザー・インターフェースが選択指示された場合には、前記第１の制御手段に対して、前記給紙手段の印刷用紙カセットや印刷用紙デッキの印刷用紙収納部を開く制御を指示することを特徴とする。
【発明の効果】
【０００８】
本発明に係る印刷システムによれば、給紙装置を構成する給紙部のうち、積載させる印刷用紙のサイズや種類に応じて積載部の開閉方式が異なる給紙部であっても、対象とする印刷用紙のサイズや種類に応じて、操作画面における積載部を開く旨のＧＵＩを選択可能にするか否かを切り替える制御を行えることで、操作性を向上する。
【図面の簡単な説明】
【０００９】
【図１】印刷システムの全体図
【図２】印刷装置の説明図
【図３】印刷システムの構成の説明図
【図４】給紙装置の説明図
【図５】画像処理装置の操作画面の説明図
【図６】画像処理装置と印刷装置のタイミングチャート
【図７】画像処理装置と印刷装置のタイミングチャート
【図８】画像処理装置の動作のフローチャート
【図９】画像処理装置の操作画面の説明図
【図１０】画像処理装置と印刷装置のタイミングチャート
【図１１】画像処理装置の操作画面の説明図
【図１２】画像処理装置と印刷装置のタイミングチャート
【図１３】画像処理装置の動作のフローチャート
【発明を実施するための形態】
【００１０】
以下、本発明を実施するための形態について図面を用いて説明する。なお、本発明の説明に不要な要素は割愛する場合がある。
【００１１】
〔発明を実施するための最良の形態１〕
以下、図を参照しながら本発明の第一の実施形態について詳細に説明する。図１は、本発明の第一の実施形態にかかる、画像処理装置と印刷装置を含む印刷システムの全体説明図である。なお、本発明にかかる印刷処理等の機能が実行されるものであれば、それが単体の機器であっても、複数の機器からなるシステムであっても構わない。あるいは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等のネットワークを介して接続され処理が行われるシステムであってもよい。すなわち、以下の実施形態で説明する各種端末が接続されたシステム構成は一例であり、用途や目的に応じて様々な構成例があることは言うまでもない。
【００１２】
まず、印刷システムは、クライアントコンピューター０ｆと、画像処理装置０１０２、印刷装置０１０３、ネットワーク０１０４、ネットワーク０１０５とで構成される。
【００１３】
次に、クライアントコンピューター０１０１は、一般的なアプリケーションソフトやプリンタードライバー０１０６をインストールできる装置であり、ネットワークＩ／Ｆ０１０７を介してネットワーク０１０４に接続される。本実施形態では、クライアントコンピューター０１０１を情報処理装置や汎用的なＰＣ（Ｐｅｒｓｏｎａｌ  Ｃｏｍｐｕｔｅｒ）として説明する。
【００１４】
プリンタードライバー０１０６は、クライアントコンピューター０１０１を制御するＯＳ（Ｏｐｅｒａｔｉｎｇ  Ｓｙｓｔｅｍ）上で動作するソフトウェアである。また、アプリケーションからの印刷指示によって印刷データをＰＤＬ（Ｐａｇｅ  Ｄｅｓｃｒｉｐｔｉｏｎ  Ｌａｎｇｕａｇｅ：ページ記述言語）で表現し、印刷ジョブとして、それを画像処理装置０１０２に送信する。また、プリンタードライバー０１０６は、後述する画像処理装置０１０２および印刷装置０１０３から、ネットワーク０１０４やネットワーク０１０５を介して、双方向通信を用いて、画像処理装置０１０２や印刷装置０１０３の機器構成情報や設定情報、能力情報などの各種情報を得ることができる。ネットワークＩ／Ｆ０１０７は、ネットワーク０１０４を介して外部機器と接続および通信するものであり、ネットワーク上での通信制御処理を実行する。例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）方式を用いたインターネット通信や画像処理装置０１０２との間でデータ送受信等が可能である。なお、情報処理装置には、一般的に、例えばＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）や各種入出力機器を含む。しかし、これらは汎用的なものであるため、本実施形態では説明を割愛する。
【００１５】
次に、画像処理装置０１０２は、ネットワークＩ／Ｆ０１０８、ＣＰＵ０１０９、ＲＡＭ０１１０、ネットワークＩ／Ｆ０１１１、印刷ジョブ解析部０１１２、画像処理部０１１３、記憶部０１１４、画像処理装置制御部０１１５、画像処理装置操作部０１２８を有する装置である。また、それらはシステムバス０１１６で接続される。なお、本実施形態では画像処理装置０１０２を、プリンターコントローラーとして説明する。プリンターコントローラーとは、主に、プリンタードライバー０１０６などで生成したＰＤＬで記述された描画データを受け取り、そのＰＤＬを解釈し、印刷画像データに変換後、後述する印刷装置０１０３に出力を行う画像処理を担う情報処理装置である。なお、この情報処理装置は、汎用的な情報処理装置であるコンピューターに、画像処理専用の集積回路を実装したハードウェア電子回路基板を加えた構成が一般的ではあるが、同画像処理をソフトウエアプログラムのみで行っても構わない。
【００１６】
ネットワークＩ／Ｆ０１０８は、ネットワーク０１０４を介して外部機器と接続および通信するものであり、ネットワーク上での通信制御処理を実行する。例えば、ＴＣＰ／ＩＰ方式を用いたインターネット通信やクライアントコンピューター０１０１との間でデータ送受信等が可能である。ＣＰＵ０１０９は、画像処理装置０１０２の記憶部０１１４に記憶され、ＲＡＭ０１１０にロードされる各種プログラムによって、様々な演算処理や情報処理、機器制御などを行う。ＲＡＭ０１１０は、ＣＰＵ０１０９から直接アクセスできる一般的な揮発性記憶装置の一種で、ＣＰＵ０１０９のワークエリアとして、また、その他一時的なデータ記憶に使用される。
【００１７】
ネットワークＩ／Ｆ０１１１は、ネットワーク０１０５を介して外部機器と接続および通信するものであり、ネットワーク上での通信制御処理を実行する。例えば、ＴＣＰ／ＩＰ方式を用いたインターネット通信や印刷装置０１０３との間でデータ送受信等が可能である。印刷ジョブ解析部０１１２は、ネットワークＩ／Ｆ０１１８で受信した印刷ジョブを解析し、印刷画像情報や印刷属性情報を得る。なお、印刷画像情報とはＰＤＬで記述された描画データであり、印刷属性情報とは、ページ設定や面付け指示、給紙や仕上げ指示などの各種印刷設定に関する情報であり、また、ジョブに付随する情報なども含まれる。
【００１８】
画像処理部０１１３は、印刷ジョブに含まれるＰＤＬを解釈し、印刷画像情報や印刷属性情報を用いてＲＩＰ（Ｒａｓｔｅｒ  Ｉｍａｇｅ  Ｐｒｏｃｅｓｓｏｒ）処理を行い、ページ毎にラスターデータ化した印刷画像データを生成する。なお、ＰＤＬとは、例えば、ＰＳ（Ｐｏｓｔ  Ｓｃｒｉｐｔ）やＰＣＬ（Ｐｒｉｎｔｅｒ  Ｃｏｎｔｒｏｌ  Ｌａｎｇｕａｇｅ）に代表される、ページプリンターを制御するための命令を記述するための言語を指す。また、画像処理部０１１３で生成された印刷画像データは印刷属性情報とともに印刷ジョブデータとして、後述する画像処理装置制御部０１１５の制御のもと、ネットワークＩ／Ｆ０１１１を介して印刷装置０１０３に転送される。
【００１９】
記憶部０１１４は、クライアントコンピューター０１０１から受信した印刷ジョブを一時的または恒久的にスプールし記憶する役割を担い、本実施形態ではＨＤＤとして説明する。画像処理装置制御部０１１５は画像処理装置０１０２全般の制御を行い、画像処理装置０１０２の中核を担う。画像処理装置操作部０１２８は、キーボードやマウス、タッチパネルなどの入力装置を合わせて用いることで、画像処理装置０１０２全般の操作、画像処理装置０１０２の状態や印刷ジョブの処理状況を表示、画像処理装置０１０２の設定、ネットワーク０１０５を介して印刷装置０１０３の操作や設定、状態表示など印刷装置０１０３にかかる操作などを行うための画像処理装置０１０２の操作部であり、本実施形態ではＰＣなどの情報処理装置に使用する汎用的なモニターとして説明する。
【００２０】
次に、印刷装置０１０３は、ネットワークＩ／Ｆ０１１７、ＣＰＵ０１１８、ＲＡＭ０１１９、記憶部０１２０、読取部０１２１、画像形成部０１２２、印刷装置操作部０１２３、給紙部０１２４、後処理部０１２５、印刷装置制御部０１２６を有する装置である。また、それらはシステムバス０１２７で接続される。なお、本実施形態では印刷装置０１０３を、コピーやプリンターエンジン、ＦＡＸ（Ｆａｃｓｉｍｉｌｅ）などを兼ね備えたＭＦＰ（ＭｕｌｔｉＦｕｎｃｔｉｏｎ  Ｐｅｒｉｐｈｅｒａｌ）として説明する。
【００２１】
ネットワークＩ／Ｆ０１１７は、ネットワーク０１０５を介して外部機器と接続および通信するものであり、ネットワーク上での通信制御処理を実行する。例えば、ＴＣＰ／ＩＰ方式を用いたインターネット通信や画像処理装置０１０２との間でデータ送受信等が可能である。ＣＰＵ０１１８は、印刷装置０１０３の記憶部０１２０に記憶され、ＲＡＭ０１１９にロードされる各種プログラムによって、様々な演算処理や情報処理、機器制御などを行う。ＲＡＭ０１１９は、ＣＰＵ０１１８から直接アクセスできる一般的な揮発性記憶装置の一種で、ＣＰＵ０１１８のワークエリアとして、また、その他一時的なデータ記憶に使用される。
【００２２】
記憶部０１２１は、画像処理装置０１０２から受け取った印刷ジョブデータを一時的または恒久的にスプールし記憶する役割を担い、本実施形態ではＨＤＤとして説明する。読取部０１２１は、紙原稿を光学方式で読み取るもので、本実施形態ではスキャナーとして説明する。スキャナーは原稿照明ランプと走査ミラーとを有し、原稿台ガラス上に置かれた原稿を光走査するものである。原稿からの反射光は走査ミラーと反射ミラーによりレンズに導かれ、レンズを通過した光信号は固体撮像素子に導かれる。光信号は固体撮像素子で電気信号に変換され、画像信号として認識される。なお、固体撮像素子とは、例えば、ＣＣＤ（Ｃｈａｒｇｅ  Ｃｏｕｐｌｅｄ  Ｄｅｖｉｃｅ）方式やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）方式のイメージセンサーを指す。
【００２３】
画像形成部０１２２は、画像処理装置０１０２で生成され、印刷ジョブデータに含まれる印刷画像データであるラスターデータを用いて画像形成する印刷プロセスであり、本実施形態ではプリンターエンジンとして説明する。つまり、画像形成部０１２２は、画像処理部０１１３がＲＩＰ処理によって生成したラスターデータを、印刷用紙に画像を形成して印刷成果物とする。なお、本実施形態では画像形成には電子写真方式によりトナーを用いるが、例えば、トナーではなくインクを用いるなど、他の手段であっても構わない。
【００２４】
印刷装置操作部０１２３は、印刷装置０１０３の状態を表示したり、印刷装置０１０３の操作や設定等を行ったりするユーザーインターフェースであり、本実施形態ではＬＣＤ（Ｌｉｑｕｉｄ  Ｃｒｙｓｔａｌ  Ｄｉｓｐｌａｙ）タッチパネル方式を用いた装置として説明する。また、印刷装置０１０３には、印刷装置０１０３の一般的なオペレーターが操作を行う通常使用モードと、主に印刷装置０１０３のメンテナンスや調整、特別な設定などを施すために、印刷装置０１０３のオペレーターが行う一般的な操作とは異なり、印刷装置０１０３のテクニシャンが操作を行うメンテナンスモードとが存在し、印刷装置操作部０１２３を介して、通常使用モードとメンテナンスモードとを切り替えて操作することができる。なお、先述の通り、印刷装置０１０３の操作や設定、状態表示など印刷装置０１０３にかかる全ての操作を、ネットワーク０１０５を介した画像処理装置操作部０１２８により行う場合には、印刷装置操作部０１２３は必ずしも必要ではない。
【００２５】
給紙部０１２４は、ＭＦＰで使用する印刷用紙を収納するもので、用紙カセットや用紙ドロワー、用紙デッキなどと呼ばれ、それらを複数有するのが一般的である。また、給紙部１２４の性能の違いにより、収納できる印刷用紙の種類やサイズも異なり、収納部に印刷用紙を積載する際の天地の向きや上下左右の向きも様々であり、給紙部１２４から収納部へのアクセス方法や開閉方式も多様である。なお、複数の用紙カセットうち、どの用紙カセットから印刷用紙を給紙するかは印刷ジョブデータの用紙や用紙カセットに関する属性やＭＦＰの設定や状態によって異なり、それは後述する印刷装置制御部０１２６によって決定され、給紙された印刷用紙は最終的に画像形成部０１２２に搬送され、画像形成が施されて印刷成果物となる。
【００２６】
後処理部０１２５は、その印刷ジョブデータの属性に従って、画像形成部０１２２で画像形成された印刷成果物に後処理加工を施し、印刷装置０１０３の機外へと排紙するもので、本実施形態では後処理装置として説明する。後処理装置には、例えば、印刷物に様々な折りを施す多機能折り装置、様々なパンチダイやクリースダイのパターンに応じてそれぞれのダイに圧力をかけることで印刷物へ穴空けや筋付けを行うマルチパンチ装置、複数の印刷物を束ねてくるみ製本など行い本を生成する製本装置、大量の印刷物を積載するスタッカー装置、複数の印刷物を束ねて揃えたり、ステープルやサドルスティッチを行ったり、いくつかの積載用トレイなどの排紙先を有するフィニッシング装置など、様々な印刷成果物を生成する装置が多数存在する。そして、印刷ジョブデータの属性に応じてそれらの後処理機能や排紙先が決まり、後述する印刷装置制御部０１２６によって、その指示や後処理制御、排紙制御が行われる。印刷装置制御部０１２６は、印刷ジョブデータの処理の制御、印刷装置操作部０１２３の制御など、印刷装置０１０３全般の制御を担うものであり、本実施形態ではＭＦＰコントローラーとして説明する。
【００２７】
次に、ネットワーク０１０４は、インターネットやＬＡＮに代表されるグローバルまたはローカルネットワークで、クライアントコンピューター０１０１と画像処理装置０１０２とを接続する媒体である。また、接続にはＴＣＰ／ＩＰ方式に代表されるネットワーク通信技術を用いる。
【００２８】
次に、ネットワーク０１０５は、インターネットやＬＡＮに代表されるグローバルまたはローカルネットワークで、画像処理装置０１０２と印刷装置０１０３とを接続する媒体である。また、接続にはＴＣＰ／ＩＰ方式に代表されるネットワーク通信技術を用いる。なお、本実施形態ではネットワークＩ／Ｆ０１１１とネットワークＩ／Ｆ０１１７との接続およびその通信方式をピアツーピアとして説明する。
【００２９】
さて、本実施形態における給紙部０１２４についてさらに説明する。印刷装置０１０３が有する複数の給紙部０１２４のうち、少なくとも一つは、その機構や構造上の制約により、印刷用紙のサイズに応じて、印刷用紙を積載して給紙するための印刷用紙デッキの印刷用紙収納部の開閉方法が異なり、それらが同一の給紙部０１２４に混在する特徴を持つもので、本実施形態ではそれを後述する印刷用紙デッキである給紙部Ｅ０２０５として説明する。また、給紙部０１２４の開閉方法とは、印刷用紙を積載させて収納するために、ロック部０１２のロックを解除し、印刷用紙収納部を開く際の方式を指し、印刷用紙収納部を開くためにロック部０１２９のロックを電気的に解除する方式と、印刷用紙収納部を開くためにロック部０１２９のロックを手動で解除する方式とに分けられる。なお、ロック部０１２９は、給紙部０１２４において印刷用紙収納部を閉じた際に、例えば、ラッチ機構などにより印刷用紙収納部をロック、つまり、閉じた状態に固定するための機能であり、電気的、または、手動により、そのラッチ機構によりロックされた状態を解除することで、印刷用紙収納部を開くことができる。
【００３０】
また、本実施形態における給紙部Ｅ０２０５では、印刷装置０１０３の給紙方向に対する印刷用紙の送り方向のサイズが１９インチまでの印刷用紙を給紙部Ｅ０２０５に収納する場合には、印刷用紙収納部を開くためのロックを電気的に解除し、洋服用のチェストのように、印刷用紙収納部を印刷装置０１０３の手前側にスライドして引き出すフロントローディング方式により、印刷用紙を収納することができる。また、本実施形態における給紙部Ｅ０２０５は、印刷用紙のサイズに応じて印刷用紙収納部を開くための方式を切り替えるが、印刷用紙のサイズに限らず、印刷用紙の種類に応じて印刷用紙収納部を開くための方式を切り替えるものでもよい。一方、印刷装置０１０３の給紙方向に対する印刷用紙の送り方向のサイズが１９インチを超える印刷用紙を給紙部Ｅ０２０５に収納する場合には、印刷用紙収納部を開くためのロックを手動で解除し、印刷用紙収納部の上部カバーを車のボンネットのように開閉するトップローディング方式により、印刷用紙を収納する必要がある。一般的に、トップローディング方式に比べフロントローディング方式の方が、周囲の機器間の干渉も少なく、印刷用紙を印刷用紙収納部に積載し収納する作業面において相対的に優れる。
【００３１】
しかし、印刷装置０１０３の給紙方向に対する印刷用紙の送り方向のサイズが大きくなるにつれ、給紙部０１２４によっては、躯体や強度など構造上の制約により、用紙サイズのサイズや種類によってはフロントローディング方式では開閉できずトップローディング方式による開閉のみに限られ、本実施形態では、印刷装置０１０３の給紙方向に対する印刷用紙の送り方向のサイズが１９インチを超える印刷用紙を給紙部Ｅ０２０５に収納する場合には、印刷用紙収納部を開くためのロックを手動で解除し、印刷用紙収納部の上部カバーを車のボンネットのように開閉するトップローディング方式により、印刷用紙を収納する必要がある。
【００３２】
次に、本実施形態における画像処理装置操作部０１２８についてさらに説明する。画像処理装置操作部０１２８は、画像処理装置０１０２と印刷装置０１０３とで少なくとも構成される印刷システムにかかる設定や操作を可能にし、また、印刷システムの状態や状況の表示などを行い、印刷システムのユーザーインターフェースとして画面を制御し表示する。また、給紙部０１２４に対して、印刷用紙カセットや印刷用紙デッキの印刷用紙収納部を開くためのロックを電気的に解除する指示を行うグラフィカル・ユーザー・インターフェースを持ち、画像処理装置操作部０１２８にてそのグラフィカル・ユーザー・インターフェースを選択すると、画像処理装置制御部０１１５と印刷装置制御部０１２６の制御により、印刷用紙カセットや印刷用紙デッキの印刷用紙収納部を開くためのロックが電気的に解除される。
【００３３】
次に、本実施形態における画像処理装置制御部０１１５についてさらに説明する。画像処理装置制御部０１１５は、印刷用紙のサイズや種類に応じて、印刷用紙収納部を開くためのロックを電気的に解除して給紙部０１２４に収納することができる印刷用紙を対象にする場合には、画像処理装置操作部０１２８に対して、印刷用紙カセットや印刷用紙デッキの印刷用紙収納部を開くためのロックを電気的に解除する指示を行うグラフィカル・ユーザー・インターフェースを有効にする旨の指示を行う。一方、印刷用紙収納部を開くためのロックを電気的に解除して給紙部０１２４に収納することができない印刷用紙を対象にする場合には、画像処理装置操作部０１２８に対して、印刷用紙カセットや印刷用紙デッキの印刷用紙収納部を開くためのロックを電気的に解除する指示を行うグラフィカル・ユーザー・インターフェースを無効にする旨の指示を行う。なお、グラフィカル・ユーザー・インターフェースを無効にする手段として、例えば、視覚的にグレーアウトしたり、そのＧＵＩ自体を非表示にしたり、選択された場合にエラー通知したりなど挙げられるが、その他の手段であっても構わない。
【００３４】
そして、画像処理装置操作部０１２８において、給紙部０１２４の印刷用紙カセットや印刷用紙デッキの印刷用紙収納部を開くためのロックを電気的に解除する指示を行うグラフィカル・ユーザー・インターフェースが選択指示された場合には、印刷装置０１０３の印刷装置制御部０１２６に対して、給紙部０１２４の印刷用紙カセットや印刷用紙デッキの印刷用紙収納部を開く制御を指示する。
【００３５】
なお本実施形態では、ネットワーク０１０４およびネットワーク０１０５をそれぞれ独立したネットワーク構成としたが、クライアントコンピューター０１０１、画像処理装置０１０２、印刷装置０１０３を含む一つのネットワーク構成としても良い。
【００３６】
図２は、本発明の第一の実施形態にかかる印刷装置の説明図である。まず、印刷装置０１０３は、先述の通り、ネットワークＩ／Ｆ０１１７、ＣＰＵ０１１８、ＲＡＭ０１１９、記憶部０１２０、読取部０１２１、画像形成部０１２２、印刷装置操作部０１２３、給紙部０１２４、後処理部０１２５、印刷装置制御部０１２６を主に有している。
【００３７】
次に、給紙部０１２４は、ＭＦＰで使用する印刷用紙を収納するもので、用紙カセットや用紙ドロワー、用紙デッキなどと呼ばれ、それらを複数有するのが一般的であり、本実施形態では、給紙部Ａ０２０１、給紙部Ｂ０２０２、給紙部Ｃ０２０３、給紙部Ｄ０２０４、給紙部Ｅ０２０５の給紙用の複数の用紙カセットや用紙デッキで構成される。また、給紙部１２４の性能の違いにより、収納できる印刷用紙の種類やサイズも異なり、収納部に印刷用紙を積載する際の天地の向きや上下左右の向きも様々であり、給紙部１２４から収納部へのアクセス方法や開閉方式も多様である。なお、複数の用紙カセットうち、どの用紙カセットから印刷用紙を給紙するかは印刷ジョブデータの用紙や用紙カセットに関する属性やＭＦＰの設定や状態によって異なり、印刷装置制御部０１２６によって決定され、給紙された印刷用紙は最終的に画像形成部０１２２に搬送され、画像形成が施されて印刷成果物となる。
【００３８】
本実施形態における給紙部０１２４についてさらに説明する。印刷装置０１０３が有する複数の給紙部０１２４のうち、少なくとも一つは、印刷用紙のサイズに応じて、印刷用紙を積載して給紙するための印刷用紙デッキの印刷用紙収納部の開閉方法が異なる特徴を持つもので、本実施形態ではそれを給紙部Ｅ０２０５として説明する。また、給紙部Ｅ０２０５は、印刷用紙収納部の開閉方法として、印刷用紙収納部を開くためのロックを電気的に解除する方式と、印刷用紙収納部を開くためのロックを手動で解除する方式とを持ち、印刷用紙サイズに応じて異なる。
【００３９】
なお、本実施形態では、印刷装置０１０３の給紙方向に対する印刷用紙の送り方向のサイズが１９インチまでの印刷用紙を給紙部Ｅ０２０５に収納する場合には、印刷用紙収納部を開くためのロックを電気的に解除し、洋服用のチェストのように、印刷用紙収納部を印刷装置０１０３の手前側にスライドして引き出すフロントローディング方式により、印刷用紙を収納することができる。一方、印刷装置０１０３の給紙方向に対する印刷用紙の送り方向のサイズが１９インチを超える印刷用紙を給紙部Ｅ０２０５に収納する場合には、印刷用紙収納部を開くためのロックを手動で解除し、印刷用紙収納部の上部カバーを車のボンネットのように開閉するトップローディング方式により、印刷用紙を収納する必要がある。
【００４０】
次に、後処理部０１２５は、画像形成部０１２２で印刷した印刷物に様々な折りを施す多機能折り装置、様々なパンチダイやクリースダイのパターンに応じてそれぞれのダイに圧力をかけることで印刷物へ穴空けや筋付けを行うマルチパンチ装置、複数の印刷物を束ねてくるみ製本など行い本を生成する製本装置、大量の印刷物を積載するスタッカー装置、複数の印刷物を束ねて揃えたり、ステープルやサドルスティッチを行ったり、いくつかの積載用トレイなどの排紙先を有するフィニッシング装置など、様々な印刷成果物を生成する装置で構成される。そのうち、フィニッシング装置は、その排紙先として積載部Ａ０２０６、積載部Ｂ０２０７、積載部Ｃ０２０８の複数の排紙用積載トレイで構成され、特に、サドルスティッチによる後処理を施した印刷成果物は、排紙部Ｃ０２０８のような専用の排紙部に搬送する。
【００４１】
最後に、紙搬送経路０２０９は、印刷装置制御部０１２６による印刷制御の開始後、印刷用紙が給紙部Ａ０２０１から給紙部Ｅ０２０５のいずれかから給紙され画像形成部０１２２を経て積載部Ａ０２０６から積載部Ｃ０２０８に到達するまでの印刷用紙の搬送経路を示している。
【００４２】
図３は、本発明の第一の実施形態にかかる、印刷システムの構成の説明図である。先述の通り、印刷装置操作部０１２３を有する印刷装置０１０３は、ネットワーク０１０５を介して、画像処理装置操作部０１２８を有する画像処理装置０１０２に接続され、さらに、画像処理装置０１０２は、ＬＡＮをはじめとするネットワーク０１０４に接続される。なお、印刷システムを構成するＭＦＰとプリンターコントローラーは隣り合わせで配置、つまり、物理的に同一の場所に在るのが一般的である。
【００４３】
次に、汎用ＰＣであるクライアントコンピューター０１０１は、ＰＣの表示用モニターであるＰＣ操作部０２０１を有し、ＬＡＮをはじめとするネットワーク０１０４に接続される。
【００４４】
さて、印刷装置０１０３の操作や設定、状態表示など印刷装置０１０３にかかる全ての操作を、ネットワーク０１０５を介した画像処理装置操作部０１２８により行う場合には、印刷装置操作部０１２３は必ずしも必要ではない。この場合、画像処理装置操作部０１２８は、画像処理装置０１０２と印刷装置０１０３とで構成される印刷システムの操作画面となる。
【００４５】
図４は、本発明の第一の実施形態にかかる、給紙装置の説明図である。図４（ａ）は、給紙部０１２４のうち給紙部Ｅ０２０５の説明図であり、その機構や構造上の制約により、印刷用紙のサイズに応じて、印刷用紙を積載して給紙するための印刷用紙デッキの印刷用紙収納部の開閉方法が異なり、それらが同一の給紙部Ｅ０２０５に混在する特徴を有している。また、給紙部Ｅ０２０５の印刷用紙収納部の開閉方法として、印刷用紙収納部を開くためのロックを電気的に解除する方式と、印刷用紙収納部を開くためのロックを手動で解除する方式とを持ち、印刷用紙サイズに応じて異なる。なお、本実施形態では、印刷装置０１０３の給紙方向に対する印刷用紙の送り方向のサイズが１９インチまでの印刷用紙を給紙部Ｅ０２０５に収納する場合には、印刷用紙収納部を開くためのロックを電気的に解除し、洋服用のチェストのように、印刷用紙収納部を印刷装置０１０３の手前側にスライドして引き出すフロントローディング方式により、印刷用紙を収納することができる。
【００４６】
一方、印刷装置０１０３の給紙方向に対する印刷用紙の送り方向のサイズが１９インチを超える印刷用紙を給紙部Ｅ０２０５に収納する場合には、印刷用紙収納部を開くためのロックを手動で解除し、印刷用紙収納部の上部カバーを車のボンネットのように開閉するトップローディング方式により、印刷用紙を収納する必要がある。つまり、印刷装置０１０３の給紙方向に対する印刷用紙の送り方向のサイズが１９インチまでの印刷用紙を給紙部Ｅ０２０５に収納する場合には、画像処理装置操作部０１２８からフロントローディング開閉部０４０１を開くためのロックを電気的に解除することができ、フロントローディング開閉部０４０１を印刷装置０１０３の手前側に洋服用のチェストのようにスライドして開閉する。一方、印刷装置０１０３の給紙方向に対する印刷用紙の送り方向のサイズが１９インチを超える印刷用紙を給紙部Ｅ０２０５に収納する場合には、画像処理装置操作部０１２８からトップローディング開閉部０４０２を開くためのロックを電気的に解除することができないため、手動によりトップローディング開閉部０４０２のロックを解除し、トップローディング開閉部０４０２を車のボンネットのように引き上げて開閉する必要がある。
【００４７】
図４（ｂ）は、給紙部０１２４のうち給紙部Ｅ０２０５のフロントローディング方式の説明図であり、先述の通り、印刷装置０１０３の給紙方向に対する印刷用紙の送り方向のサイズが１９インチまでの印刷用紙を給紙部Ｅ０２０５に収納する場合には、印刷用紙収納部を開くためのロックを電気的に解除し、洋服用のチェストのように、印刷用紙収納部を印刷装置０１０３の手前側にスライドして引き出すフロントローディング方式により、印刷用紙を収納する。つまり、印刷装置０１０３の給紙方向に対する印刷用紙の送り方向のサイズが１９インチまでの印刷用紙を給紙部Ｅ０２０５に収納する場合には、画像処理装置操作部０１２８からフロントローディング開閉部０４０１を開くためのロックを電気的に解除することができ、フロントローディング開閉部０４０１を印刷装置０１０３の手前側に洋服用のチェストのようにスライドして開き、１９インチまでの印刷用紙を印刷用紙収納部０４０３に積載して収納する。
【００４８】
図４（ｃ）は、給紙部０１２４のうち給紙部Ｅ０２０５のトップローディング方式の説明図であり、先述の通り、印刷装置０１０３の給紙方向に対する印刷用紙の送り方向のサイズが１９インチを超える印刷用紙を給紙部Ｅ０２０５に収納する場合には、印刷用紙収納部を開くためのロックを手動で解除し、印刷用紙収納部の上部カバーを車のボンネットのように開閉するトップローディング方式により、印刷用紙を収納する。つまり、印刷装置０１０３の給紙方向に対する印刷用紙の送り方向のサイズが１９インチを超える印刷用紙を給紙部Ｅ０２０５に収納する場合には、画像処理装置操作部０１２８からトップローディング開閉部０４０２を開くためのロックを電気的に解除することができないため、手動によりトップローディング開閉部０４０２のロックを解除し、トップローディング開閉部０４０２を車のボンネットのように引き上げて開き、１９インチを超える印刷用紙を印刷用紙収納部０４０３に積載して収納する。
【００４９】
図５は、本発明の第一の実施形態にかかる、画像処理装置の操作画面の説明図である。図５（ａ）は、画像処理装置０１０２における画像処理装置操作部０１２８であり、キーボードやマウス、タッチパネルなどの入力装置を合わせて用いることで、画像処理装置０１０２全般の操作、画像処理装置０１０２の状態や印刷ジョブの処理状況を表示、画像処理装置０１０２の設定、ネットワーク０１０５を介して印刷装置０１０３の操作や設定、状態表示など印刷装置０１０３にかかる操作などを行うための画像処理装置０１０２の操作部であり、本実施形態ではＰＣなどの情報処理装置に使用する汎用的なモニターとして説明する。なお、図５（ａ）では、給紙部Ｅ０５０５には１３ｘ１９インチの印刷用紙が割り当てられている場合について説明する。
【００５０】
次に、画像処理装置操作部０１２８には印刷用紙設定画面０５１０が表示されている。印刷用紙設定画面０５１０には、給紙部０１２４の詳細な印刷用紙の設定情報、つまり、給紙部Ａ０５０１、給紙部Ｂ０５０２、給紙部Ｃ０５０３、給紙部Ｄ０５０４、給紙部Ｅ０５０５に現在設定されている印刷用紙のサイズと種類が表示されており、それぞれ、給紙部Ａ０５０１にはレターサイズの普通紙、給紙部Ｂ０５０２には１１ｘ１７インチサイズの厚紙、給紙部Ｅ０５０５には１３ｘ１９インチサイズの普通紙が画像処理装置０１０２を通して割り当てられていることが分かり、一方、給紙部Ｃ０５０３と給紙部Ｄ０５０４には、まだ画像処理装置０１０２を通して印刷用紙の割り当てがされていないことを示している。なお、画像処理装置０１０２における印刷用紙の割り当てとは、実際にどのような印刷用紙が印刷装置０１０３の給紙部０１２４、つまり、給紙部Ａ０２０１、給紙部Ｂ０２０２、給紙部Ｃ０２０３、給紙部Ｄ０２０４、給紙部Ｅ０２０５に収納されているかではなく、画像処理装置０１０２において、それぞれの給紙部０１２４にどのような印刷用紙を割り当てて印刷システムを動作させるかという意味であり、つまり、ここで割り当てられ設定された印刷用紙情報を元に、画像処理装置０１０２は印刷システムを動作させる。
【００５１】
次に、印刷用紙設定画面０５１０には用紙割当ボタン０５０６が表示されており、給紙部Ａ０５０１、給紙部Ｂ０５０２、給紙部Ｃ０５０３、給紙部Ｄ０５０４、給紙部Ｅ０５０５を選択した上で用紙割当ボタン０５０６を選択することができる。用紙割当ボタン０５０６が選択されると、選択された給紙部０１２４に対して所望の印刷用紙の設定、少なくとも、印刷用紙のサイズと種類を選択し、割り当てることができる。このようにして印刷用紙を割り当てた給紙部０１２４が、給紙部Ａ０５０１、給紙部Ｂ０５０２、給紙部Ｅ０５０５であり、一方、給紙部Ｃ０５０３と給紙部Ｄ０５０４はまだこの割り当てが行われていない。
【００５２】
次に、印刷用紙設定画面０５１０には用紙割当解除ボタン０５０７が表示されており、給紙部Ａ０５０１、給紙部Ｂ０５０２、給紙部Ｃ０５０３、給紙部Ｄ０５０４、給紙部Ｅ０５０５を選択した上で用紙割当解除ボタン０５０７を選択することができる。用紙割当解除ボタン０５０７が選択されると、選択された給紙部０１２４に対して既に割り当てた印刷用紙のサイズや種類をはじめとする設定情報を消去し、印刷用紙の割り当てが行われていない状態にできる。このようにして既に割り当てた印刷用紙のサイズや種類をはじめとする設定情報を消去した給紙部０１２４が、給紙部Ｃ０５０３と給紙部Ｄ０５０４であり、一方、給紙部Ａ０５０１、給紙部Ｂ０５０２、給紙部Ｅ０５０５に対して、このような操作を行うことにより既に割り当てた印刷用紙のサイズや種類をはじめとする設定情報を消去し、印刷用紙の割り当てが行われていない状態にできる。
【００５３】
さて、印刷用紙設定画面０５１０にはトレイオープンボタン０５０８が表示されており、給紙部Ａ０５０１、給紙部Ｂ０５０２、給紙部Ｃ０５０３、給紙部Ｄ０５０４、給紙部Ｅ０５０５を選択した上でトレイオープンボタン０５０８を選択することができる。なお、本実施形態では、トレイオープンボタン０５０８を選択するには、給紙部０１２４に印刷用紙が割り当てられていること、かつ、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であること、かつ、給紙部０１２４の印刷用紙収納部に、印刷用紙収納部を開くためのロックを電気的に解除して給紙部０１２４に収納することができない印刷用紙が既に収納されていないことが条件である。なお、給紙部０１２４に収納することができない印刷用紙が既に収納されているか否かを判断する手段として、例えば、給紙部０１２４の印刷用紙収納部に印刷用紙のサイズを検知できる電気的なセンサーを設けることなどが挙げられるが、その他の手段であっても構わない。トレイオープンボタン０５０８が選択されると、画像処理装置制御部０１１５は、印刷装置制御部０１２６に対して、選択された給紙部０１２４の印刷用紙収納部を開く制御を指示する。つまり、トレイオープンボタン０５０８が選択されると、給紙部Ｅ０２０５のフロントローディング開閉部０４０１を開くためのロックが電気的に解除され、フロントローディング開閉部０４０１を印刷装置０１０３の手前側に洋服用のチェストのようにスライドして開くことで、印刷用紙を印刷用紙収納部０４０３に積載して収納することができる。
【００５４】
次に、（ｂ）は、画像処理装置０１０２における画像処理装置操作部０１２８であり、キーボードやマウス、タッチパネルなどの入力装置を合わせて用いることで、画像処理装置０１０２全般の操作、画像処理装置０１０２の状態や印刷ジョブの処理状況を表示、画像処理装置０１０２の設定、ネットワーク０１０５を介して印刷装置０１０３の操作や設定、状態表示など印刷装置０１０３にかかる操作などを行うための画像処理装置０１０２の操作部であり、本実施形態ではＰＣなどの情報処理装置に使用する汎用的なモニターとして説明する。なお、（ｂ）では、給紙部Ｅ０５０９には１３ｘ３０インチの印刷用紙が割り当てられている場合について説明する。
【００５５】
次に、画像処理装置操作部０１２８には印刷用紙設定画面０５１０が表示されている。印刷用紙設定画面０５１０には、給紙部０１２４の詳細な印刷用紙の設定情報、つまり、給紙部Ａ０５０１、給紙部Ｂ０５０２、給紙部Ｃ０５０３、給紙部Ｄ０５０４、給紙部Ｅ０５０９に現在設定されている印刷用紙のサイズと種類が表示されており、それぞれ、給紙部Ａ０５０１にはレターサイズの普通紙、給紙部Ｂ０５０２には１１ｘ１７インチサイズの厚紙、給紙部Ｅ０５０９には１３ｘ３０インチサイズの普通紙が画像処理装置０１０２を通して割り当てられていることが分かり、一方、給紙部Ｃ０５０３と給紙部Ｄ０５０４には、まだ画像処理装置０１０２を通して印刷用紙の割り当てがされていないことを示している。なお、画像処理装置０１０２における印刷用紙の割り当てとは、実際にどのような印刷用紙が印刷装置０１０３の給紙部０１２４、つまり、給紙部Ａ０２０１、給紙部Ｂ０２０２、給紙部Ｃ０２０３、給紙部Ｄ０２０４、給紙部Ｅ０２０５に収納されているかではなく、画像処理装置０１０２において、それぞれの給紙部０１２４にどのような印刷用紙を割り当てて印刷システムを動作させるかという意味であり、つまり、ここで割り当てられ設定された印刷用紙情報を元に、画像処理装置０１０２は印刷システムを動作させる。
【００５６】
次に、印刷用紙設定画面０５１０には用紙割当ボタン０５０６が表示されており、給紙部Ａ０５０１、給紙部Ｂ０５０２、給紙部Ｃ０５０３、給紙部Ｄ０５０４、給紙部Ｅ０５０９を選択した上で用紙割当ボタン０５０６を選択することができる。用紙割当ボタン０５０６が選択されると、選択された給紙部０１２４に対して所望の印刷用紙の設定、少なくとも、印刷用紙のサイズと種類を選択し、割り当てることができる。このようにして印刷用紙を割り当てた給紙部０１２４が、給紙部Ａ０５０１、給紙部Ｂ０５０２、給紙部Ｅ０５０９であり、一方、給紙部Ｃ０５０３と給紙部Ｄ０５０４はまだこの割り当てが行われていない。
【００５７】
次に、印刷用紙設定画面０５１０には用紙割当解除ボタン０５０７が表示されており、給紙部Ａ０５０１、給紙部Ｂ０５０２、給紙部Ｃ０５０３、給紙部Ｄ０５０４、給紙部Ｅ０５０９を選択した上で用紙割当解除ボタン０５０７を選択することができる。用紙割当解除ボタン０５０７が選択されると、選択された給紙部０１２４に対して既に割り当てた印刷用紙のサイズや種類をはじめとする設定情報を消去し、印刷用紙の割り当てが行われていない状態にできる。このようにして既に割り当てた印刷用紙のサイズや種類をはじめとする設定情報を消去した給紙部０１２４が、給紙部Ｃ０５０３と給紙部Ｄ０５０４であり、一方、給紙部Ａ０５０１、給紙部Ｂ０５０２、給紙部Ｅ０５０９に対して、このような操作を行うことにより既に割り当てた印刷用紙のサイズや種類をはじめとする設定情報を消去し、印刷用紙の割り当てが行われていない状態にできる。
【００５８】
さて、印刷用紙設定画面０５１０にはトレイオープンボタン０５１１が表示されており、給紙部Ａ０５０１、給紙部Ｂ０５０２、給紙部Ｃ０５０３、給紙部Ｄ０５０４、給紙部Ｅ０５０９を選択した上でトレイオープンボタン０５１１を選択することができる。なお、本実施形態では、トレイオープンボタン０５１１を選択するには、給紙部０１２４に印刷用紙が割り当てられていること、かつ、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であること、かつ、給紙部０１２４の印刷用紙収納部に、印刷用紙収納部を開くためのロックを電気的に解除して給紙部０１２４に収納することができない印刷用紙が既に収納されていないことが条件である。つまり、給紙部Ｅ０２０９には１３ｘ３０インチの印刷用紙が割り当てられているため、これらの条件のうち、印刷装置０１０３の給紙方向に対する印刷用紙の送り方向のサイズが１９インチまでの印刷用紙であることに合致しないため、トレイオープンボタン０５１１は選択することができない。よって、画像処理装置操作部０１２８からトップローディング開閉部０４０２を開くためのロックを電気的を解除することができないため、手動によりトップローディング開閉部０４０２のロックを解除し、トップローディング開閉部０４０２を車のボンネットのように引き上げて開くことで、１９インチを超える印刷用紙を印刷用紙収納部０４０３に積載して収納することができる。
【００５９】
図６は、本発明の第一の実施形態にかかる、画像処理装置と印刷装置のタイミングチャートである。本図は、画像処理装置操作部０１２８、画像処理装置制御部０１１５、印刷装置制御部０１２６の処理の関係を相関的に示し、図５（ａ）において給紙部Ｅ０２０５に１３ｘ１９インチの印刷用紙が割り当てられているケースにおけるタイミングチャートであり、どのようにして、トレイオープンボタン０５０８が選択できるようになり、給紙部Ｅ０２０５のフロントローディング開閉部０４０１を開くためのロックが電気的に解除されるかを説明する図である。
【００６０】
まず、画像処理装置操作部０１２８は、印刷システムのオペレーターにより給紙部Ｅ０５０５が選択されたことを検知する（ステップ０６０１）。次に、画像処理装置操作部０１２８は、画像処理装置制御部０１１５に対して、印刷システムのオペレーターにより給紙部Ｅ０５０５が選択されたことを通知する（ステップ０６０２）。
【００６１】
次に、画像処理装置制御部０１１５は、トレイオープンボタン０５０８を選択可能にするか判定する（ステップ０６０３）。なお、本実施形態では、トレイオープンボタン０５０８を選択するには、給紙部０１２４に印刷用紙が割り当てられていること、かつ、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であること、かつ、給紙部０１２４の印刷用紙収納部に、印刷用紙収納部を開くためのロックを電気的に解除して給紙部０１２４に収納することができない印刷用紙が既に収納されていないことが条件である。つまり、給紙部０１２４の印刷用紙収納部に、印刷用紙収納部を開くためのロックを電気的に解除して給紙部０１２４に収納することができない印刷用紙が既に収納されていないことを前提とすると、全ての条件に合致するため、トレイオープンボタン０５０８は選択可能と判定する。
【００６２】
次に、画像処理装置制御部０１１５は、ステップ０６０３によりトレイオープンボタン０５０８は選択可能と判定したため、画像処理装置操作部０１２８に対して、トレイオープンボタン０５０８を選択可能にする旨の指示を行う（ステップ０６０４）。
【００６３】
次に、画像処理装置操作部０１２８は、画像処理装置制御部０１１５よりトレイオープンボタン０５０８を選択可能にする旨の指示を受領すると、印刷用紙設定画面０５１０のトレイオープンボタン０５０８を印刷システムのオペレーターにより選択可能なＧＵＩに移行する（ステップ０６０５）。
【００６４】
次に、画像処理装置操作部０１２８は、印刷システムのオペレーターによりトレイオープンボタン０５０８が選択されたことを検知する（ステップ０６０６）。
【００６５】
次に、画像処理装置操作部０１２８は、画像処理装置制御部０１１５に対して、印刷システムのオペレーターによりトレイオープンボタン０５０８が選択されたことを通知する（ステップ０６０７）。
【００６６】
次に、画像処理装置制御部０１１５は、印刷装置０１０３の印刷装置制御部０１２６に対して、給紙部Ｅ０２０５のフロントローディング開閉部０４０１を開くためのロックを電気的に解除する旨の指示を行う（ステップ０６０８）。
【００６７】
最後に、印刷装置制御部０１２６は、画像処理装置０１０２より給紙部Ｅ０２０５のフロントローディング開閉部０４０１を開くためのロックを電気的に解除する旨の指示を受領すると、給紙部Ｅ０２０５のフロントローディング開閉部０４０１を開くためのロックを電気的に解除する制御を行う（ステップ０６０９）。
【００６８】
図７は、本発明の第一の実施形態にかかる、画像処理装置と印刷装置のタイミングチャートである。本図は、画像処理装置操作部０１２８、画像処理装置制御部０１１５、印刷装置制御部０１２６の処理の関係を相関的に示し、図５（ｂ）において給紙部Ｅ０２０５に１３ｘ３０インチの印刷用紙が割り当てられているケースにおけるタイミングチャートであり、どのようにして、トレイオープンボタン０５１１が選択できないようになるかを説明する図である。
【００６９】
まず、画像処理装置操作部０１２８は、印刷システムのオペレーターにより給紙部Ｅ０５０９が選択されたことを検知する（ステップ０７０１）。
【００７０】
次に、画像処理装置操作部０１２８は、画像処理装置制御部０１１５に対して、印刷システムのオペレーターにより給紙部Ｅ０５０９が選択されたことを通知する（ステップ０７０２）。
【００７１】
次に、画像処理装置制御部０１１５は、トレイオープンボタン０５１１を選択可能にするか判定する（ステップ０７０３）。なお、本実施形態では、トレイオープンボタン０５１１を選択するには、給紙部０１２４に印刷用紙が割り当てられていること、かつ、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であること、かつ、給紙部０１２４の印刷用紙収納部に、印刷用紙収納部を開くためのロックを電気的に解除して給紙部０１２４に収納することができない印刷用紙が既に収納されていないことが条件である。つまり、給紙部０１２４の印刷用紙収納部に、印刷用紙収納部を開くためのロックを電気的に解除して給紙部０１２４に収納することができない印刷用紙が既に収納されていないことを前提としても、給紙部Ｅ０５０９には１３ｘ３０インチの印刷用紙が割り当てられているため、これらの条件のうち、印刷装置０１０３の給紙方向に対する印刷用紙の送り方向のサイズが１９インチまでの印刷用紙であることに合致しないため、トレイオープンボタン０５１１は選択不可能と判定する。
【００７２】
次に、画像処理装置制御部０１１５は、ステップ０７０３によりトレイオープンボタン０５１１は選択不可能と判定したため、画像処理装置操作部０１２８に対して、トレイオープンボタン０５１１を選択不可能にする旨の指示を行う（ステップ０７０４）。
【００７３】
最後に、画像処理装置操作部０１２８は、画像処理装置制御部０１１５よりトレイオープンボタン０５１１を選択不可能にする旨の指示を受領すると、印刷用紙設定画面０５１０のトレイオープンボタン０５１１を印刷システムのオペレーターにより選択不可能なＧＵＩに移行する（ステップ０７０５）。
【００７４】
図８は、本実施形態の印刷システムのうち、画像処理装置の処理や制御を示したフローチャートである。なお、本フローチャートは、画像処理装置０１０２の記憶部０１１４に格納されたプログラムに従って画像処理装置操作部０１２８および画像処理装置制御部０１１５が実行することによって、また、印刷装置０１０３の記憶部０１２０に格納されたプログラムに従って印刷装置制御部０１２６が実行することによって実現される。
【００７５】
まず、画像処理装置操作部０１２８は、印刷システムのオペレーターにより給紙部Ｅ０５０５や給紙部Ｅ０５０９が選択されたことを検知すると、画像処理装置制御部０１１５に対して、印刷システムのオペレーターにより給紙部Ｅ０５０５や給紙部Ｅ０５０９が選択されたことを通知する（ステップ０８０１）。
【００７６】
次に、画像処理装置制御部０１１５は、画像処理装置操作部０１２８より印刷システムのオペレーターにより給紙部Ｅ０５０５や給紙部Ｅ０５０９が選択されたことの通知を受領すると、トレイオープンボタン０５０８やトレイオープンボタン０５１１を選択可能にするか判定するため、はじめに、給紙部Ｅ０５０５や給紙部Ｅ０５０９に印刷用紙の割り当てがされているか判定する（ステップ０８０２）。
【００７７】
もし、ステップ０８０２に該当する場合、さらに、画像処理装置制御部０１１５は、給紙部Ｅ０５０５や給紙部Ｅ０５０９に割り当てられた印刷用紙のサイズが、給紙部Ｅ０２０５の印刷用紙収納部を開くためのロックを電気的に解除できる印刷用紙か判定する（ステップ０８０３）。つまり、画像処理装置制御部０１１５は、給紙部Ｅ０５０５や給紙部Ｅ０５０９に割り当てられた印刷用紙のサイズが、印刷装置０１０３の給紙方向に対する印刷用紙の送り方向のサイズが１９インチまでの印刷用紙か判定する。一方、ステップ０８０２に該当しない場合、ステップ０８０５に移行する。
【００７８】
もし、ステップ０８０３に該当する場合、さらに、画像処理装置制御部０１１５は、印刷装置０１０３の給紙部Ｅ０２０５の印刷用紙収納部０４０３に、印刷用紙収納部０４０３を開くためのロックを電気的に解除して給紙部Ｅ０２０５に収納することができない印刷用紙が既に収納されていないか判定する（ステップ０８０４）。つまり、画像処理装置制御部０１１５は、印刷装置０１０３の給紙部Ｅ０２０５の印刷用紙収納部０４０３に、印刷装置０１０３の給紙方向に対する印刷用紙の送り方向のサイズが１９インチを超える印刷用紙が既に収納されていないか判定する。一方、ステップ０８０３に該当しない場合、ステップ０８０５に移行する。
【００７９】
もし、ステップ０８０４に該当する場合、画像処理装置制御部０１１５は、印刷用紙設定画面０５１０のトレイオープンボタン０５０８は選択可能と判定し、画像処理装置操作部０１２８に対して、トレイオープンボタン０５０８を選択可能にする旨の指示を行い、そして、画像処理装置操作部０１２８は、画像処理装置制御部０１１５よりトレイオープンボタン０５０８を選択可能にする旨の指示を受領すると、印刷用紙設定画面０５１０のトレイオープンボタン０５０８を印刷システムのオペレーターにより選択可能なＧＵＩに移行する（ステップ０８０６）。一方、ステップ０８０２、ステップ０８０３、ステップ０８０４に該当しない場合、画像処理装置制御部０１１５は、印刷用紙設定画面０５１０のトレイオープンボタン０５１１は選択不可能と判定し、画像処理装置操作部０１２８に対して、トレイオープンボタン０５１１を選択不可能にする旨の指示を行い、画像処理装置操作部０１２８は、画像処理装置制御部０１１５よりトレイオープンボタン０５１１を選択不可能にする旨の指示を受領すると、印刷用紙設定画面０５１０のトレイオープンボタン０５１１を印刷システムのオペレーターにより選択不可能なＧＵＩに移行する（ステップ０８０５）。
【００８０】
次に、画像処理装置操作部０１２８は、印刷システムのオペレーターによりトレイオープンボタン０５０８が選択されたか判定する（ステップ０８０７）。
【００８１】
最後に、もし、ステップ０８０７に該当する場合、画像処理装置操作部０１２８は、画像処理装置制御部０１１５に対して、印刷システムのオペレーターによりトレイオープンボタン０５０８が選択されたことを通知し、そして、画像処理装置制御部０１１５は、印刷装置０１０３の印刷装置制御部０１２６に対して、給紙部Ｅ０２０５のフロントローディング開閉部０４０１を開くためのロックを電気的に解除する旨の指示を行い、さらに、印刷装置０１０３の印刷装置制御部０１２６は、画像処理装置０１０２より給紙部Ｅ０２０５のフロントローディング開閉部０４０１を開くためのロックを電気的に解除する旨の指示を受領すると、給紙部Ｅ０２０５のフロントローディング開閉部０４０１を開くためのロックを電気的に解除する制御を行い（ステップ０８０８）、印刷システムの本フローの処理を終了する。一方、ステップ０８０７に該当しない場合、引き続き、ステップ０８０７を繰り返す。
【００８２】
最後に、本実施形態によって、印刷システムは、給紙装置を構成する給紙部のうち、積載させる印刷用紙のサイズや種類に応じて積載部の開閉方式が異なる給紙部であっても、対象とする印刷用紙のサイズや種類に応じて、操作画面における積載部を開く旨のＧＵＩを選択可能にするか否かを切り替える制御を行え、総じて印刷システムの操作性を向上することを可能にした。
【００８３】
〔第２の実施形態〕
続いて、図を参照しながら本発明の第二の実施形態について詳細に説明する。なお、本実施形態には、第一の実施形態との差異のみを記載する場合があり、かつ、重複する説明に関しては割愛する場合がある。第１の実施形態において、トレイオープンボタン０５０８やトレイオープンボタン０５１１をＧＵＩとして選択可能にする、または、選択不可能にするための判定条件は、給紙部０１２４に印刷用紙が割り当てられていること、かつ、給紙部０１２４に割り当てられた印刷用紙のサイズが、給紙部０１２４の印刷用紙収納部を開くためのロックを電気的に解除できる印刷用紙であること、かつ、給紙部０１２４の印刷用紙収納部に、印刷用紙収納部を開くためのロックを電気的に解除して給紙部０１２４に収納することができない印刷用紙が既に収納されていないことである。
【００８４】
一方、ＧＵＩとしては、給紙部Ａ０５０１、給紙部Ｂ０５０２、給紙部Ｃ０５０３、給紙部Ｄ０５０４、給紙部Ｅ０５０９を選択した上でトレイオープンボタン０５０８やトレイオープンボタン０５１１を選択可能にし、印刷システムのオペレーターによりトレイオープンボタン０５０８やトレイオープンボタン０５１１が選択された時点の状態に応じて画像処理装置０１０２の制御を切り替えるワークフローも考えられる。
【００８５】
そこで、第２の実施形態では、画像処理装置制御部０１１５は、印刷用紙のサイズや種類に関わらず、画像処理装置操作部０１２８に対して、印刷用紙カセットや印刷用紙デッキの印刷用紙収納部を開くためのロックを電気的に解除する指示を行うグラフィカル・ユーザー・インターフェースを有効にする旨の指示を行い、画像処理装置操作部０１２８において、給紙部０１２４の印刷用紙カセットや印刷用紙デッキの印刷用紙収納部を開くためのロックを電気的に解除する指示を行うグラフィカル・ユーザー・インターフェースが選択指示された場合、印刷用紙のサイズや種類に応じて、印刷用紙収納部を開くためのロックを電気的に解除して給紙部０１２４に収納することができる印刷用紙を対象にする場合には、印刷装置制御部０１２６に対して、給紙部０１２４の印刷用紙カセットや印刷用紙デッキの印刷用紙収納部を開く制御を指示し、一方、印刷用紙収納部を開くためのロックを電気的に解除して給紙部０１２４に収納することができない印刷用紙を対象にする場合には、画像処理装置操作部０１２８に対して、印刷用紙収納部を開くためのロックを電気的に解除して給紙部０１２４に収納することができない印刷用紙である旨や、画像処理装置操作部０１２８からの指示ではなく給紙部０１２４にて手動で印刷用紙収納部を開く旨を報知する指示を行う。
【００８６】
図９は、第２の実施形態にかかる、画像処理装置の操作画面の説明図である。図９（ａ）は、画像処理装置０１０２における画像処理装置操作部０１２８であり、キーボードやマウス、タッチパネルなどの入力装置を合わせて用いることで、画像処理装置０１０２全般の操作、画像処理装置０１０２の状態や印刷ジョブの処理状況を表示、画像処理装置０１０２の設定、ネットワーク０１０５を介して印刷装置０１０３の操作や設定、状態表示など印刷装置０１０３にかかる操作などを行うための画像処理装置０１０２の操作部であり、本実施形態ではＰＣなどの情報処理装置に使用する汎用的なモニターとして説明する。なお、図９（ａ）では、給紙部Ｅ０９０５には１３ｘ３０インチの印刷用紙が割り当てられている場合について説明する。
【００８７】
次に、画像処理装置操作部０１２８には印刷用紙設定画面０９１０が表示されている。印刷用紙設定画面０９１０には、給紙部０１２４の詳細な印刷用紙の設定情報、つまり、給紙部Ａ０９０１、給紙部Ｂ０９０２、給紙部Ｃ０９０３、給紙部Ｄ０９０４、給紙部Ｅ０９０５に現在設定されている印刷用紙のサイズと種類が表示されており、それぞれ、給紙部Ａ０９０１にはレターサイズの普通紙、給紙部Ｂ０９０２には１１ｘ１７インチサイズの厚紙、給紙部Ｅ０９０５には１３ｘ３０インチサイズの普通紙が画像処理装置０１０２を通して割り当てられていることが分かり、一方、給紙部Ｃ０９０３と給紙部Ｄ０９０４には、まだ画像処理装置０１０２を通して印刷用紙の割り当てがされていないことを示している。なお、画像処理装置０１０２における印刷用紙の割り当てとは、実際にどのような印刷用紙が印刷装置０１０３の給紙部０１２４、つまり、給紙部Ａ０２０１、給紙部Ｂ０２０２、給紙部Ｃ０２０３、給紙部Ｄ０２０４、給紙部Ｅ０２０５に収納されているかではなく、画像処理装置０１０２において、それぞれの給紙部０１２４にどのような印刷用紙を割り当てて印刷システムを動作させるかという意味であり、つまり、ここで割り当てられ設定された印刷用紙情報を元に、画像処理装置０１０２は印刷システムを動作させる。
【００８８】
次に、印刷用紙設定画面０９１０には用紙割当ボタン０９０６が表示されており、給紙部Ａ０９０１、給紙部Ｂ０９０２、給紙部Ｃ０９０３、給紙部Ｄ０９０４、給紙部Ｅ０９０５を選択した上で用紙割当ボタン０９０６を選択することができる。用紙割当ボタン０９０６が選択されると、選択された給紙部０１２４に対して所望の印刷用紙の設定、少なくとも、印刷用紙のサイズと種類を選択し、割り当てることができる。このようにして印刷用紙を割り当てた給紙部０１２４が、給紙部Ａ０９０１、給紙部Ｂ０９０２、給紙部Ｅ０９０５であり、一方、給紙部Ｃ０９０３と給紙部Ｄ０９０４はまだこの割り当てが行われていない。
【００８９】
次に、印刷用紙設定画面０９１０には用紙割当解除ボタン０９０７が表示されており、給紙部Ａ０９０１、給紙部Ｂ０９０２、給紙部Ｃ０９０３、給紙部Ｄ０９０４、給紙部Ｅ０９０５を選択した上で用紙割当解除ボタン０９０７を選択することができる。用紙割当解除ボタン０９０７が選択されると、選択された給紙部０１２４に対して既に割り当てた印刷用紙のサイズや種類をはじめとする設定情報を消去し、印刷用紙の割り当てが行われていない状態にできる。このようにして既に割り当てた印刷用紙のサイズや種類をはじめとする設定情報を消去した給紙部０１２４が、給紙部Ｃ０９０３と給紙部Ｄ０９０４であり、一方、給紙部Ａ０９０１、給紙部Ｂ０９０２、給紙部Ｅ０９０５に対して、このような操作を行うことにより既に割り当てた印刷用紙のサイズや種類をはじめとする設定情報を消去し、印刷用紙の割り当てが行われていない状態にできる。
【００９０】
さて、印刷用紙設定画面０９１０にはトレイオープンボタン０９０８が表示されており、給紙部Ａ０９０１、給紙部Ｂ０９０２、給紙部Ｃ０９０３、給紙部Ｄ０９０４、給紙部Ｅ０９０５を選択した上でトレイオープンボタン０９０８を選択することができる。トレイオープンボタン０９０８が選択されると、画像処理装置制御部０１１５はいくつかの条件、つまり、給紙部０１２４に印刷用紙が割り当てられていること、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であること、そして、給紙部０１２４の印刷用紙収納部に、印刷用紙収納部を開くためのロックを電気的に解除して給紙部０１２４に収納することができない印刷用紙が既に収納されていないことに応じて制御を切り替える。なお、これらの条件を全て満たした場合に、画像処理装置制御部０１１５は、印刷装置制御部０１２６に対して、選択された給紙部０１２４の印刷用紙収納部を開く制御を指示する。つまり、トレイオープンボタン０９０８が選択されると、給紙部Ｅ０２０５のフロントローディング開閉部０４０１を開くためのロックが電気的に解除され、フロントローディング開閉部０４０１を印刷装置０１０３の手前側に洋服用のチェストのようにスライドして開くことで、印刷用紙を印刷用紙収納部０４０３に積載して収納することができる。
【００９１】
図９（ｂ）は、画像処理装置０１０２における画像処理装置操作部０１２８であり、キーボードやマウス、タッチパネルなどの入力装置を合わせて用いることで、画像処理装置０１０２全般の操作、画像処理装置０１０２の状態や印刷ジョブの処理状況を表示、画像処理装置０１０２の設定、ネットワーク０１０５を介して印刷装置０１０３の操作や設定、状態表示など印刷装置０１０３にかかる操作などを行うための画像処理装置０１０２の操作部であり、本実施形態ではＰＣなどの情報処理装置に使用する汎用的なモニターとして説明する。なお、（ｂ）では、給紙部Ｅ０９０５には１３ｘ３０インチの印刷用紙が割り当てられた状態で、かつ、トレイオープンボタン０９０８が選択された場合について説明する。
【００９２】
さて、給紙部Ｅ０９０５には１３ｘ３０インチの印刷用紙が割り当てられた状態で、かつ、トレイオープンボタン０９０８が選択されると、画像処理装置制御部０１１５は、先述した条件のうち、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であることに合致しないため、画像処理装置操作部０１２８に対して、給紙部０１２４にて手動で印刷用紙収納部を開く旨を報知する給紙部操作情報画面０９０９の表示を指示する。よって、この画面表示により、印刷システムのオペレーターに対して、画像処理装置操作部０１２８からトップローディング開閉部０４０２を開くためのロックを電気的を解除することはできないため、手動によりトップローディング開閉部０４０２のロックを解除し、トップローディング開閉部０４０２を車のボンネットのように引き上げて開くことで、１９インチを超える印刷用紙を印刷用紙収納部０４０３に積載して収納する必要性が伝えることができる。
【００９３】
図１０は、第２の実施形態にかかる、画像処理装置と印刷装置のタイミングチャートである。本図は、画像処理装置操作部０１２８、画像処理装置制御部０１１５、印刷装置制御部０１２６の処理の関係を相関的に示し、図９において給紙部Ｅ０２０５に１３ｘ３０インチの印刷用紙が割り当てられているケースにおけるタイミングチャートであり、どのようにして、トレイオープンボタン０９０８が選択できるようになり、そして、給紙部０１２４に割り当てられた印刷用紙のサイズが、給紙部０１２４の印刷用紙収納部を開くためのロックを電気的に解除できる印刷用紙であることの条件に合致しない場合に、どのようにして、給紙部操作情報画面０９０９が表示されるかを説明する図である。
【００９４】
まず、画像処理装置操作部０１２８は、印刷システムのオペレーターにより給紙部Ｅ０９０５が選択されたことを検知する（ステップ１００１）。
【００９５】
次に、画像処理装置操作部０１２８は、トレイオープンボタン０９０８を選択可能な状態に移行し、印刷システムのオペレーターにより給紙部Ｅ０９０５が選択されたことを検知する（ステップ１００２）。
【００９６】
次に、画像処理装置操作部０１２８は、画像処理装置制御部０１１５に対して、印刷システムのオペレーターにより給紙部Ｅ０９０５が選択されたことを通知する（ステップ１００３）。
【００９７】
次に、画像処理装置操作部０１２８は、給紙部Ｅ０９０５に割り当てられた印刷用紙が、給紙部Ｅ０９０５の印刷用紙収納部０４０３を開くためのロックを電気的に解除して給紙部Ｅ０２０５に収納することができる印刷用紙か判定する（ステップ１００４）。つまり、先述した条件のうち、給紙部０１２４の印刷用紙収納部に、印刷用紙収納部を開くためのロックを電気的に解除して給紙部０１２４に収納することができない印刷用紙が既に収納されていないことを前提としても、給紙部Ｅ０９０９には１３ｘ３０インチの印刷用紙が割り当てられているため、印刷装置０１０３の給紙方向に対する印刷用紙の送り方向のサイズが１９インチまでの印刷用紙であることの条件に合致しないため、給紙部Ｅ０２０５の印刷用紙収納部０４０３を開くためのロックを電気的に解除して給紙部Ｅ０２０５に収納することができない印刷用紙と判定する。
【００９８】
次に、画像処理装置制御部０１１５は、ステップ１００４により給紙部Ｅ０２０５の印刷用紙収納部０４０３を開くためのロックを電気的に解除して給紙部Ｅ０２０５に収納することができない印刷用紙と判定したため、本実施形態では、画像処理装置操作部０１２８に対して、給紙部Ｅ０２０５にて手動で印刷用紙収納部０４０３を開く旨を報知する画面を表示する指示を行う（ステップ１００５）。
【００９９】
最後に、画像処理装置操作部０１２８は、画像処理装置制御部０１１５より給紙部Ｅ０２０５にて手動で印刷用紙収納部０４０３を開く旨を報知する画面を表示する指示を受領すると、給紙部Ｅ０２０５にて手動で印刷用紙収納部０４０３を開く旨を報知する画面を表示する（ステップ１００６）。よって、この画面表示により、印刷システムのオペレーターに対して、画像処理装置操作部０１２８からトップローディング開閉部０４０２を開くためのロックを電気的を解除することはできないため、手動によりトップローディング開閉部０４０２のロックを解除し、トップローディング開閉部０４０２を車のボンネットのように引き上げて開くことで、１９インチを超える印刷用紙を印刷用紙収納部０４０３に積載して収納する必要性が伝えることができる。
【０１００】
図１１は、本発明の第二の実施形態にかかる、画像処理装置の操作画面の説明図である。まず、図１１（ａ）は、画像処理装置０１０２における画像処理装置操作部０１２８であり、キーボードやマウス、タッチパネルなどの入力装置を合わせて用いることで、画像処理装置０１０２全般の操作、画像処理装置０１０２の状態や印刷ジョブの処理状況を表示、画像処理装置０１０２の設定、ネットワーク０１０５を介して印刷装置０１０３の操作や設定、状態表示など印刷装置０１０３にかかる操作などを行うための画像処理装置０１０２の操作部であり、本実施形態ではＰＣなどの情報処理装置に使用する汎用的なモニターとして説明する。なお図１１（ａ）では、給紙部Ｅ１１０５にはいずれの印刷用紙も割り当てられていない場合について説明する。
【０１０１】
次に、画像処理装置操作部０１２８には印刷用紙設定画面１１１２が表示されている。印刷用紙設定画面１１１２には、給紙部０１２４の詳細な印刷用紙の設定情報、つまり、給紙部Ａ１１０１、給紙部Ｂ１１０２、給紙部Ｃ１１０３、給紙部Ｄ１１０４、給紙部Ｅ１１０５に現在設定されている印刷用紙のサイズと種類が表示されており、それぞれ、給紙部Ａ１１０１にはレターサイズの普通紙、給紙部Ｂ１１０２には１１ｘ１７インチサイズの厚紙が画像処理装置０１０２を通して割り当てられていることが分かり、一方、給紙部Ｃ１１０３、給紙部Ｄ１１０４、給紙部Ｅ１１０５には、まだ画像処理装置０１０２を通して印刷用紙の割り当てがされていないことを示している。なお、画像処理装置０１０２における印刷用紙の割り当てとは、実際にどのような印刷用紙が印刷装置０１０３の給紙部０１２４、つまり、給紙部Ａ０２０１、給紙部Ｂ０２０２、給紙部Ｃ０２０３、給紙部Ｄ０２０４、給紙部Ｅ０２０５に収納されているかではなく、画像処理装置０１０２において、それぞれの給紙部０１２４にどのような印刷用紙を割り当てて印刷システムを動作させるかという意味であり、つまり、ここで割り当てられ設定された印刷用紙情報を元に、画像処理装置０１０２は印刷システムを動作させる。
【０１０２】
次に、印刷用紙設定画面１１１２には用紙割当ボタン１１０６が表示されており、給紙部Ａ１１０１、給紙部Ｂ１１０２、給紙部Ｃ１１０３、給紙部Ｄ１１０４、給紙部Ｅ１１０５を選択した上で用紙割当ボタン１１０６を選択することができる。用紙割当ボタン１１０６が選択されると、選択された給紙部０１２４に対して所望の印刷用紙の設定、少なくとも、印刷用紙のサイズと種類を選択し、割り当てることができる。このようにして印刷用紙を割り当てた給紙部０１２４が、給紙部Ａ１１０１、給紙部Ｂ１１０２であり、一方、給紙部Ｃ１１０３、給紙部Ｄ１１０４、給紙部Ｅ１１０５はまだこの割り当てが行われていない。
【０１０３】
次に、印刷用紙設定画面１１１２には用紙割当解除ボタン１１０７が表示されており、給紙部Ａ１１０１、給紙部Ｂ１１０２、給紙部Ｃ１１０３、給紙部Ｄ１１０４、給紙部Ｅ１１０５を選択した上で用紙割当解除ボタン１１０７を選択することができる。用紙割当解除ボタン１１０７が選択されると、選択された給紙部０１２４に対して既に割り当てた印刷用紙のサイズや種類をはじめとする設定情報を消去し、印刷用紙の割り当てが行われていない状態にできる。このようにして既に割り当てた印刷用紙のサイズや種類をはじめとする設定情報を消去した給紙部０１２４が、給紙部Ｃ１１０３、給紙部Ｄ１１０４、給紙部Ｅ１１０５であり、一方、給紙部Ａ１１０１、給紙部Ｂ１１０２に対して、このような操作を行うことにより既に割り当てた印刷用紙のサイズや種類をはじめとする設定情報を消去し、印刷用紙の割り当てが行われていない状態にできる。
【０１０４】
さて、印刷用紙設定画面１１１２にはトレイオープンボタン１１０８が表示されており、給紙部Ａ１１０１、給紙部Ｂ１１０２、給紙部Ｃ１１０３、給紙部Ｄ１１０４、給紙部Ｅ１１０５を選択した上でトレイオープンボタン１１０８を選択することができる。トレイオープンボタン１１０８が選択されると、画像処理装置制御部０１１５はいくつかの条件、つまり、給紙部０１２４に印刷用紙が割り当てられていること、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であること、そして、給紙部０１２４の印刷用紙収納部に、印刷用紙収納部を開くためのロックを電気的に解除して給紙部０１２４に収納することができない印刷用紙が既に収納されていないことに応じて制御を切り替える。なお、これらの条件を全て満たした場合に、画像処理装置制御部０１１５は、印刷装置制御部０１２６に対して、選択された給紙部０１２４の印刷用紙収納部を開く制御を指示する。つまり、トレイオープンボタン１１０８が選択されると、給紙部Ｅ０２０５のフロントローディング開閉部０４０１を開くためのロックが電気的に解除され、フロントローディング開閉部０４０１を印刷装置０１０３の手前側に洋服用のチェストのようにスライドして開くことで、印刷用紙を印刷用紙収納部０４０３に積載して収納することができる。
【０１０５】
次に、（ｂ）は、画像処理装置０１０２における画像処理装置操作部０１２８であり、キーボードやマウス、タッチパネルなどの入力装置を合わせて用いることで、画像処理装置０１０２全般の操作、画像処理装置０１０２の状態や印刷ジョブの処理状況を表示、画像処理装置０１０２の設定、ネットワーク０１０５を介して印刷装置０１０３の操作や設定、状態表示など印刷装置０１０３にかかる操作などを行うための画像処理装置０１０２の操作部であり、本実施形態ではＰＣなどの情報処理装置に使用する汎用的なモニターとして説明する。なお、（ｂ）では、給紙部Ｅ１１０５にはいずれの印刷用紙も割り当てられていない状態で、かつ、トレイオープンボタン１１０８が選択された場合について説明する。
【０１０６】
さて、給紙部Ｅ１１０５にはいずれの印刷用紙も割り当てられていない状態で、かつ、トレイオープンボタン１１０８が選択されると、画像処理装置制御部０１１５は、先述した条件のうち、給紙部０１２４に印刷用紙が割り当てられていることに合致しないため、画像処理装置操作部０１２８に対して、給紙部Ｅ１１０５に割り当てる印刷用紙の送り方向のサイズ分類を選択するための用紙選択画面１１０９の表示を指示する。用紙選択画面１１０９は、印刷システムのオペレーターが給紙部Ｅ１１０５に割り当てる印刷用紙の送り方向のサイズが１９インチ以下であることを宣言する選択するためのボタン１１１０と、印刷システムのオペレーターが給紙部Ｅ１１０５に割り当てる印刷用紙の送り方向のサイズが１９インチを超えることを宣言するための選択するボタン１１１１で構成される。
【０１０７】
もし、印刷システムのオペレーターにより給紙部Ｅ１１０５に割り当てる印刷用紙の送り方向のサイズが１９インチ以下であることを宣言する選択するためのボタン１１１０を選択された場合には、画像処理装置制御部０１１５は、先述した条件のうち、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であることに合致するため、印刷装置制御部０１２６に対して、選択された給紙部０１２４の印刷用紙収納部を開く制御を指示する。つまり、印刷システムのオペレーターにより給紙部Ｅ１１０５に割り当てる印刷用紙の送り方向のサイズが１９インチ以下であることを宣言する選択するためのボタン１１１０が選択されると、給紙部Ｅ０２０５のフロントローディング開閉部０４０１を開くためのロックが電気的に解除され、フロントローディング開閉部０４０１を印刷装置０１０３の手前側に洋服用のチェストのようにスライドして開くことで、印刷用紙を印刷用紙収納部０４０３に積載して収納することができる。
【０１０８】
一方、印刷システムのオペレーターにより給紙部Ｅ１１０５に割り当てる印刷用紙の送り方向のサイズが１９インチを超えることを宣言する選択するためのボタン１１１１を選択された場合には、画像処理装置制御部０１１５は、先述した条件のうち、給紙部０１２４に割り当てられた印刷用紙のサイズが、給紙部０１２４の印刷用紙収納部を開くためのロックを電気的に解除できる印刷用紙であること、つまり、印刷装置０１０３の給紙方向に対する印刷用紙の送り方向のサイズが１９インチまでの印刷用紙であることに合致しないため、給紙部０１２４にて手動で印刷用紙収納部を開く旨を報知する給紙部操作情報画面０９０９の表示を指示する。よって、この画面表示により、印刷システムのオペレーターに対して、画像処理装置操作部０１２８からトップローディング開閉部０４０２を開くためのロックを電気的を解除することはできないため、手動によりトップローディング開閉部０４０２のロックを解除し、トップローディング開閉部０４０２を車のボンネットのように引き上げて開くことで、１９インチを超える印刷用紙を印刷用紙収納部０４０３に積載して収納する必要性が伝えることができる。
【０１０９】
図１２は、本発明の第二の実施形態にかかる、画像処理装置と印刷装置のタイミングチャートである。本図は、画像処理装置操作部０１２８、画像処理装置制御部０１１５、印刷装置制御部０１２６の処理の関係を相関的に示し、図１０において給紙部Ｅ０２０５にいずれの印刷用紙も割り当てられているケースにおけるタイミングチャートであり、どのようにして、トレイオープンボタン１１０８が選択できるようになり、そして、給紙部０１２４に印刷用紙が割り当てられていることの条件に合致しない場合に、どのようにして用紙選択画面１１０９が表示されるかを説明する図である。
【０１１０】
まず、画像処理装置操作部０１２８は、印刷システムのオペレーターにより給紙部Ｅ１１０５が選択されたことを検知する（ステップ１２０１）。次に、画像処理装置操作部０１２８は、トレイオープンボタン１１０８を選択可能な状態に移行し、印刷システムのオペレーターにより給紙部Ｅ１１０５が選択されたことを検知する（ステップ１２０２）。
【０１１１】
次に、画像処理装置操作部０１２８は、画像処理装置制御部０１１５に対して、印刷システムのオペレーターにより給紙部Ｅ１１０５が選択されたことを通知する（ステップ１２０３）。
【０１１２】
次に、画像処理装置操作部０１２８は、給紙部Ｅ１１０５に割り当てられた印刷用紙が、給紙部Ｅ１１０５の印刷用紙収納部０４０３を開くためのロックを電気的に解除して給紙部Ｅ０２０５に収納することができる印刷用紙か判定する（ステップ１２０４）。つまり、先述した条件のうち、給紙部０１２４の印刷用紙収納部に、印刷用紙収納部を開くためのロックを電気的に解除して給紙部０１２４に収納することができない印刷用紙が既に収納されていないことを前提としても、給紙部Ｅ１１０５にはいずれの印刷用紙も割り当てられていないため、給紙部０１２４に印刷用紙が割り当てられていることの条件に合致しないため、給紙部Ｅ０２０５の印刷用紙収納部０４０３を開くためのロックを電気的に解除して給紙部Ｅ０２０５に収納することができない印刷用紙と判定する。
【０１１３】
次に、画像処理装置制御部０１１５は、画像処理装置操作部０１２８に対して、給紙部Ｅ１１０５に割り当てる印刷用紙の送り方向のサイズ分類を選択するための用紙選択画面１１０９の表示を指示する（ステップ１２０５）。
【０１１４】
最後に、画像処理装置操作部０１２８は、画像処理装置制御部０１１５より給紙部Ｅ１１０５に割り当てる印刷用紙の送り方向のサイズ分類を選択するための用紙選択画面１１０９を表示する指示を受領すると、給紙部Ｅ１１０５に割り当てる印刷用紙の送り方向のサイズ分類を選択するための用紙選択画面１１０９を表示する（ステップ１２０６）。先述の通り、用紙選択画面１１０９は、印刷システムのオペレーターが給紙部Ｅ１１０５に割り当てる印刷用紙の送り方向のサイズが１９インチ以下であることを宣言する選択するためのボタン１１１０と、印刷システムのオペレーターが給紙部Ｅ１１０５に割り当てる印刷用紙の送り方向のサイズが１９インチを超えることを宣言するための選択するボタン１１１１で構成される。よって、印刷システムのオペレーターにより給紙部Ｅ１１０５に割り当てる印刷用紙の送り方向のサイズが１９インチ以下であることを宣言する選択するためのボタン１１１０を選択されると、給紙部Ｅ０２０５のフロントローディング開閉部０４０１を開くためのロックが電気的に解除され、フロントローディング開閉部０４０１を印刷装置０１０３の手前側に洋服用のチェストのようにスライドして開くことで、印刷用紙を印刷用紙収納部０４０３に積載して収納することができる。一方、印刷システムのオペレーターにより給紙部Ｅ１１０５に割り当てる印刷用紙の送り方向のサイズが１９インチを超えることを宣言する選択するためのボタン１１１１を選択されると、給紙部０１２４にて手動で印刷用紙収納部を開く旨を報知する給紙部操作情報画面０９０９が表示され、この画面表示により、印刷システムのオペレーターに対して、手動によりトップローディング開閉部０４０２のロックを解除し、トップローディング開閉部０４０２を車のボンネットのように引き上げて開くことで、１９インチを超える印刷用紙を印刷用紙収納部０４０３に積載して収納する必要性が伝えることができる。
【０１１５】
図１３は、本実施形態の印刷システムのうち、画像処理装置の処理や制御を示したフローチャートである。なお、本フローチャートは、画像処理装置０１０２の記憶部０１１４に格納されたプログラムに従って画像処理装置操作部０１２８および画像処理装置制御部０１１５が実行することによって、また、印刷装置０１０３の記憶部０１２０に格納されたプログラムに従って印刷装置制御部０１２６が実行することによって実現される。
【０１１６】
まず、画像処理装置操作部０１２８は、印刷システムのオペレーターにより給紙部Ｅ０９０５や給紙部Ｅ１１０５が選択されたことを検知すると、トレイオープンボタン１１０８を選択可能な状態に移行する（ステップ１３０１）。
【０１１７】
次に、画像処理装置操作部０１２８は、印刷システムのオペレーターによりトレイオープンボタン１１０８が選択されたことを検知すると、画像処理装置制御部０１１５に対して、印刷システムのオペレーターによりトレイオープンボタン１１０８が選択されたことを通知する（ステップ１３０２）。
【０１１８】
次に、画像処理装置制御部０１１５は、画像処理装置操作部０１２８より印刷システムのオペレーターによりトレイオープンボタン１１０８が選択されたことの通知を受領すると、給紙部Ｅ１１０５に割り当てられた印刷用紙が、給紙部Ｅ１１０５の印刷用紙収納部０４０３を開くためのロックを電気的に解除して給紙部Ｅ０２０５に収納することができる印刷用紙か判定するために、はじめに、画像処理装置制御部０１１５は、印刷装置０１０３の給紙部Ｅ０２０５の印刷用紙収納部０４０３に、印刷用紙収納部０４０３を開くためのロックを電気的に解除して給紙部Ｅ０２０５に収納することができない印刷用紙が既に収納されていないか判定する（ステップ１３０３）。つまり、画像処理装置制御部０１１５は、印刷装置０１０３の給紙部Ｅ０２０５の印刷用紙収納部０４０３に、印刷装置０１０３の給紙方向に対する印刷用紙の送り方向のサイズが１９インチを超える印刷用紙が既に収納されていないか判定する。
【０１１９】
もし、ステップ１３０３に該当する場合、さらに、画像処理装置制御部０１１５は、給紙部Ｅ０９０５や給紙部Ｅ１１０５に印刷用紙の割り当てがされているか判定する（ステップ１３０４）。一方、ステップ１３０３に該当する場合、画像処理装置制御部０１１５は、画像処理装置操作部０１２８に対して用紙情報画面の表示を指示し、画像処理装置制御部０１１５は、その指示を受領すると、給紙部０１２４の印刷用紙収納部に、印刷用紙収納部を開くためのロックを電気的に解除して給紙部０１２４に収納することができない印刷用紙が既に収納されている旨を報知する画面を表示し（ステップ１３０５）、ステップ１３０３に移行する。
【０１２０】
もし、ステップ１３０４に該当する場合、さらに、画像処理装置制御部０１１５は、給紙部Ｅ０９０５や給紙部Ｅ１１０５に割り当てられた印刷用紙のサイズが、給紙部Ｅ０２０５の印刷用紙収納部を開くためのロックを電気的に解除できる印刷用紙か判定する（ステップ１３０６）。つまり、画像処理装置制御部０１１５は、給紙部Ｅ０９０５や給紙部Ｅ１１０５に割り当てられた印刷用紙のサイズが、印刷装置０１０３の給紙方向に対する印刷用紙の送り方向のサイズが１９インチまでの印刷用紙か判定する。一方、ステップ１３０４に該当しない場合、画像処理装置制御部０１１５は、画像処理装置操作部０１２８に対して、給紙部Ｅ１１０５に割り当てる印刷用紙の送り方向のサイズ分類を選択するための用紙選択画面１１０９の表示を指示し、画像処理装置操作部０１２８は、その指示を受領すると、給紙部Ｅ１１０５に割り当てる印刷用紙の送り方向のサイズ分類を選択するための用紙選択画面１１０９を表示する（ステップ１３０７）。
【０１２１】
次に、画像処理装置操作部０１２８は、印刷システムのオペレーターにより用紙選択画面１１０９において、印刷システムのオペレーターにより給紙部Ｅ１１０５に割り当てる印刷用紙の送り方向のサイズが１９インチ以下であることを宣言する選択するためのボタン１１１０、または、印刷システムのオペレーターにより給紙部Ｅ１１０５に割り当てる印刷用紙の送り方向のサイズが１９インチを超えることを宣言する選択するためのボタン１１１１が選択されたか判定する（ステップ１３０８）。
【０１２２】
もし、ステップ１３０８に該当する場合、ステップ１３０６に移行する。一方、ステップ１３０８に該当しない場合、引き続き、ステップ１３０８を繰り返す。
【０１２３】
さて、もし、ステップ１３０６に該当する場合、または、ステップ１３０８において印刷システムのオペレーターにより給紙部Ｅ１１０５に割り当てる印刷用紙の送り方向のサイズが１９インチ以下であることを宣言する選択するためのボタン１１１０を選択された場合、画像処理装置制御部０１１５は、印刷装置０１０３の印刷装置制御部０１２６に対して、給紙部Ｅ０２０５のフロントローディング開閉部０４０１を開くためのロックを電気的に解除する旨の指示を行い、さらに、印刷装置０１０３の印刷装置制御部０１２６は、その指示を受領すると、給紙部Ｅ０２０５のフロントローディング開閉部０４０１を開くためのロックを電気的に解除する制御を行い（ステップ１３０９）、印刷システムの本フローの処理を終了する。一方、ステップ１３０６に該当しない場合、または、印刷システムのオペレーターにより給紙部Ｅ１１０５に割り当てる印刷用紙の送り方向のサイズが１９インチを超えることを宣言する選択するためのボタン１１１１が選択された場合、画像処理装置制御部０１１５は、画像処理装置操作部０１２８に対して、給紙部０１２４にて手動で印刷用紙収納部を開く旨を報知する給紙部操作情報画面０９０９を表示する指示を行い、さらに、画像処理装置操作部０１２８は、その指示を受領すると、給紙部操作情報画面０９０９を表示し（ステップ１３１０）、印刷システムの本フローの処理を終了する。
【０１２４】
最後に、本実施形態によって、印刷システムは、給紙装置を構成する給紙部のうち、積載させる印刷用紙のサイズや種類に応じて積載部の開閉方式が異なる給紙部であっても、対象とする印刷用紙のサイズや種類に応じて、操作画面における積載部を開く旨のＧＵＩを選択可能にするか否かを切り替える制御を行え、総じて印刷システムの操作性を向上することを可能にした。
【符号の説明】
【０１２５】
１０１  クライアントコンピューター、１０２  画像処理装置、１０３  印刷装置、
１１５  画像処理装置制御部、１２２  画像形成部、１２６  印刷装置制御部、
２０５  給紙部
【図１】
2020055668.tif 000003
【図２】
2020055668.tif 000004
【図３】
2020055668.tif 000005
【図４】
2020055668.tif 000006
【図５】
2020055668.tif 000007
【図６】
2020055668.tif 000008
【図７】
2020055668.tif 000009
【図８】
2020055668.tif 000010
【図９】
2020055668.tif 000011
【図１０】
2020055668.tif 000012
【図１１】
2020055668.tif 000013
【図１２】
2020055668.tif 000014
【図１３】
2020055668.tif 000015